(57)【特許請求の範囲】
【請求項１】
天板と、
前記天板の一端部に設けたバックガードと、
前記バックガードの背面に取り付けられていて前記天板とバックガードの間隙内に突出する突出部を備えた連結部材と、
前記天板とバックガードの間隙に充填したシール材と、を備え、
前記連結部材はバックガードの背面に設けられた上部背面部と前記突出部と該突出部から前記天板の背面に延びる下部背面部とを有しており、前記突出部は前記バックガードの厚みより短く形成され、
前記上部背面部は前記バックガードの背面に固定され、前記下部背面部は前記天板及び裏張り部の背面に固定されていることを特徴とする天板とバックガードの連結構造。
【請求項２】
天板の上部に、上部背面部と突出部と下部背面部とを有する連結部材の前記突出部を載置させて前記天板及び裏張り部の背面に前記下部背面部を固定する工程と、
前記天板をキャビネットの上面に設置して固定する工程と、
前記突出部の上部にバックガードを載置して前記上部背面部と固定する工程と、
前記天板とバックガードの間の間隙に前記バックガードの厚みより短い長さの前記突出部が挟まれており、前記間隙にシール部材を充填して固着する工程と、
を備えたことを特徴とする天板とバックガードの組み立て方法。
【発明の詳細な説明】
【技術分野】
【０００１】
本発明は、例えばシステムキッチンの流し台等において天板とバックガードの連結部を防水するようにした天板とバックガードの連結構造及びその組み立て方法に関する。
【背景技術】
【０００２】
従来、システムキッチン等の流し台では天板の背面側の後端部に天板から立ち上がるバックガードを取り付けて、流し台の背面側に設けた壁面等に漏水することを防止している。このような従来技術の一例として、天板とバックガードを別個に設けた特許文献１や２等に記載されたものが知られている。
特許文献１に記載されたキッチンのバックガードでは、後端部を壁面に当接させた調理台の上面に板状の天板を取り付け、天板の後端部に別個のバックガードを取り付けている。そして、調理台の背面には天板との間に嵌挿された埋め込み片と天板及びバックガードの背面を上方向に延びる立ち上がり片とを備えた断面略Ｌ字型の防水片を備えている。
【０００３】
また、特許文献２に記載された流し台では、天板を上面に設置したキャビネットの背面側に天板の上方まで延びる断面略Ｌ字状の係止金具がねじで固定され、係止金具の上部は背面から天板の上方に折り曲げて延びる傾斜片を有している。そして、断面略コの字型のバックガードの下部水平片を天板の上面と係止金具の傾斜片との間に挿入して嵌合している。
これら特許文献１及び２に記載された流し台では、防水片や係止金具によって天板上にこぼれた水が壁面側にしみ出て漏水することを防止している。
【先行技術文献】
【特許文献】
【０００４】
【特許文献１】実用新案登録第２６０６８７０号公報
【特許文献２】実公平３−５０７５１号公報
【発明の概要】
【発明が解決しようとする課題】
【０００５】
しかしながら、上述した特許文献１に記載された流し台は、防水片の立ち上がり片を天板とバックガードの背面に立ち上げた構成であるため、天板とバックガードとの接合面に十分な防水性を確保できず、壁面やキャビネットの背面に水がしみ出て漏水するおそれがあった。
【０００６】
また、特許文献２に記載された流し台においても、係止金具の傾斜片によってバックガードの下部水平片を天板に押し付ける構成であるため、天板上にこぼれた水が天板とバックガードの下部水平片との接合面からしみ出て壁面やキャビネットの背面に漏水するおそれがあった。
【０００７】
そのため、天板上にこぼれた水が防水片や係止金具との接合面の隙間からキャビネットや背面の壁面側に漏れてしまいキャビネットの背面や壁面等が汚れたり、キャビネットや壁面等が木材で形成されている場合には吸水して膨張する等の不具合があった。
【０００８】
本発明は、このような課題に鑑みてなされたものであって、天板上の水がキャビネットや壁面等に漏水して汚れや吸水による膨張等を生じることを確実に防止できるようにした天板とバックガードの連結構造及びその組み立て方法を提供することを目的とする。
【課題を解決するための手段】
【０００９】
本発明による天板とバックガードの連結構造は、天板と、天板の一端部に設けたバックガードと、バックガードの背面に取り付けられていて天板とバックガードの間隙内に突出する突出部を備えた連結部材と、天板とバックガードの間隙に充填したシール材と、を備え、前記連結部材はバックガードの背面に設けられた上部背面部と前記突出部と該突出部から前記天板の背面に延びる下部背面部とを有しており、前記突出部は前記バックガードの厚みより短く形成され、前記上部背面部は前記バックガードの背面に固定され、前記下部背面部は前記天板及び裏張り部の背面に固定されていることを特徴とする。
本発明によれば、バックガードを連結部材で支持すると共に連結部材の突出部を天板とバックガードの間に挿入することで間隙を形成し、この間隙内にシール材を充填したことで天板上にこぼれた水等の液体が天板とバックガードとの間から背面側に漏水することをシール材で防止できる。また、天板とバックガードを分離して支持する構成においてバックガードを連結部材とシール材で強固に支持できる。
【００１０】
しかも、連結部材はバックガードの背面に設けられた上部背面部と突出部と該突出部から天板の背面に延びる下部背面部とからなることを特徴とする。
本発明では、連結部材の下部背面部を天板の厚み方向の背面に延ばすことで連結部材を天板の背面で支持できると共に、バックガードを連結部材の上部背面部によって堅固に支持できて、天板上にこぼれた水等の液体が天板とバックガードの間から背面側に漏水することをシール材で防止できる。
【００１１】
また、本発明による天板とバックガードの組み立て方法は、天板の上部に、上部背面部と突出部と下部背面部とを有する連結部材の前記突出部を載置させて前記天板及び裏張り部の背面に前記下部背面部を固定する工程と、前記天板をキャビネットの上面に設置して固定する工程と、前記突出部の上部にバックガードを載置して前記上部背面部と固定する工程と、前記天板とバックガードの間の間隙に前記バックガードの厚みより短い長さの前記突出部が挟まれており、前記間隙の前方からシール部材を充填して固着する工程と、を備えたことを特徴とする。
【発明の効果】
【００１２】
本発明による天板とバックガードの連結構造及びその組み立て方法によれば、天板とバックガードとの間に突出部を挿入して形成した間隙をシール材によって液密に封止できるため、天板上にこぼれた水が天板とバックガードの間を通って背面側に浸みだして壁面やキャビネット等が汚れたり吸水して膨張したりすることを確実に防止できる。
しかも、天板と別個に設けたバックガードを連結部材とシール材で堅固に支持できる。
【図面の簡単な説明】
【００１３】
【図１】本発明の第一実施形態による流し台の天板構造を前面側から見た斜視図である。
【図２】図１に示す流し台の天板構造を背面側から見た斜視図である。
【図３】図１に示す天板構造における天板とバックガードの連結構造を示す要部拡大図である。
【図４】（ａ）、（ｂ）、（ｃ）は実施形態による流し台の組立方法を示す図である。
【図５】本発明の第二実施形態による流し台の天板構造の斜視図である。
【図６】図５に示す天板構造における天板とバックガードの連結構造を示す要部縦断面図である。
【図７】図５に示す天板構造を背面側から見た要部斜視図である。
【図８】変形例による流し台の天板構造の要部斜視図である。
【図９】図８に示す天板構造の要部拡大斜視図である。
【発明を実施するための形態】
【００１４】
以下、本発明の第一実施形態による流し台、例えばシステムキッチン等の流し台１を図１乃至図４に基づいて説明する。
図１及び図２に示す実施形態によるシステムキッチン等における流し台１は、例えば箱形のキャビネット２の上部に天板（ワークトップカウンター）３を備えたものである。天板３は例えばセラミック等の高硬度材料からなる平板形状であるが、天板の材質はセラミックに限定されるものではなく、天然大理石、人造大理石、人工大理石、ステンレス等、適宜の材料を採用できる。
また、天板３の背面側（奥側）には上方に起立するバックガード４が天板３とは別個に起立状態で固定されている。天板３の下部には裏貼り部５が固定され、裏貼り部５の下にキャビネット２が設置されている。
【００１５】
図３において、天板３とバックガード４の背面にはバックガード４の連結部材としてフレーム７が固定されている。フレーム７は、バックガード４と天板３及び裏貼り部５の背面に固定された板状の背面板８と、天板３の後端部でバックガード４との間に嵌挿させられた突出部９とで構成されている。フレーム７の高さはバックガード４の高さより低く設定されているが、高くてもよく、適宜高さに設定できる。
【００１６】
背面板８はバックガード４の背面に設置されていてバックガード４と例えば両面テープ１０ａによって固定された上部背面部８ａと、天板３及び裏貼り部５の厚み方向に設置されていて天板３及び裏貼り部５の背面と両面テープ１０ｂによって固定された下部背面部８ｂとを有している。フレーム７は例えば押出成形されたアルミ合金や合成樹脂等で形成されている。
なお、フレーム７の背面板８は両面テープに代えてエポキシ樹脂等の接着剤やねじ等によってバックガード４や天板３等に固定してもよく、適宜の固定部材を採用できる。
【００１７】
また、突出部９はバックガード４の厚みより短く設定するものとし、例えばバックガード４の厚みの１/２程度の長さに設定されている。そのため、天板３とバックガード４との間に突出部９を挿入することで天板３とバックガード４の間に間隙１１が形成されており、この間隙１１には例えばシリコン等のシール材１２が充填されて液密に封止されている。
なお、これら天板３、裏貼り部５、バックガード４、フレーム７、シール材１２は天板構造１４を構成する。
【００１８】
本実施形態による流し台１は上述した構成を備えており、次にその組み立て方法の一例を図４に基づいて説明する。
本実施形態による流し台１は、図４（ａ）において、まず天板３と裏貼り部５を積層した状態で、これら天板３及び裏貼り部５の背面に両面テープ１０ｂを貼着し、突出部９が天板３の上面後端に当接するようにフレーム７の下部背面部８ｂを両面テープ１０ｂを介して天板３及び裏貼り部５の背面に固着する。なお、下部背面部８ｂの長さは任意である。
【００１９】
次に、図４（ｂ）において、フレーム７を固着した天板３及び裏貼り部５をキャビネット２の上面に設置し、接着剤またはねじ等で固定する。そして、フレーム７の上部背面部８ａに両面テープ１０ａを貼着し、突出部９の上部にバックガード４を載置して両面テープ１０ａを介してフレーム７の上部背面部８ａに固着する。これによって、天板３の後端部とバックガード４との間に突出部９が嵌挿されてその間に間隙１１が形成される。
次に、図４（ｃ）に示すように、天板３とバックガード４の間隙１１に前方からシール材１２を充填することでシール材１２は間隙１１内の突出部９まで充填され、液密にシールする。その際、シール材１２は間隙１１の外まであふれていることが好ましい。シール材１２によって天板３とバックガード４も固着される。
【００２０】
なお、本実施形態による流し台１の組み立て方法は上述した手順に限定されるものではなく、他の適宜の手順で組立できる。例えば、天板３及び裏貼り部５の積層体をキャビネット２の上部に固定し、その後、フレーム７の突出部９を天板３上に載置してフレーム7を固定する。そして、突出部９の上にバックガード４を載置して突出部９の前側の間隙１１内にシール材１２を充填して固化してもよい。
或いは、天板３及び裏貼り部５の積層体にフレーム７とバックガード４を取り付けた後、キャビネット２上に固定して、間隙１１にシール材１２を充填してもよい。
【００２１】
従って、本実施形態による流し台１によれば、バックガード４を天板３と分離して別個に設置し、天板３とバックガード４の背面をフレーム７で支持すると共に突出部９で形成した間隙１１内に充填したシール材１２によってバックガード４を強固に固定支持できる。
また、バックガード４はフレーム７の突出部９によって天板３の上に支持固定され、突出部９によって天板３とバックガード４との間に形成された間隙１１内の前側をシール材１２によって液密に封止でき、天板３とバックガード４との間の水密性を確保できる。
【００２２】
また、バックガード４を取り付ける構成だけでなく取り付けない構成を選択することができ、後者の場合でも天板３の後端部とフレーム７の突出部９との接合面をシール材１２で液密に封止することができる。
【００２３】
なお、本発明による流し台１は、上述した実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明する。
【００２４】
図５〜図７は本発明の第二実施形態による流し台１Ａの天板構造１４を示すものである。
本第二実施形態による天板構造１４では、天板３と裏貼り部５の積層体における天板３の上面後端に断面略Ｌ字状のフレーム１６が設置されている。このフレーム１６は天板３上に設置するバックガード４の厚みの約１/２程度の長さの突出部１７と上方に立ち上がる背面部１８とで構成されている。なお、突出部１７は天板３上に接着剤等で固着してもよいし、載置させて後述するシール材１２で天板３に固着させてもよい。
【００２５】
そして、突出部１７の上にバックガード４を載置して、バックガード４の背面に両面テープ１０ａを貼着して背面部１８と固着する。天板３とバックガード４の間に突出部１７が挿入されたことで天板３とバックガード４の間に間隙１１が形成され、間隙１１内の前側にシール材１２を充填して固化させている。
本第二実施形態による流し台１Ａにおいても、第一実施形態と同様な効果を得られる。
【００２６】
次に本発明の実施形態の変形例による流し台１Ｂについて図８及び図９によって説明する。
図８及び図９に示す本変形例による流し台１では、天板３の下面に固定された裏貼り部５について、バックガード４側の後端部が略直角に切除された切欠部２０が形成され、この切欠部２０に例えば略四角筒形状の角筒部材２１が装着されて固定されている。この角筒部材２１は例えば弾性エポキシ樹脂等の接着剤やねじ等によって天板３と裏貼り部５に二面で固着されている。
そして、図９に示すように、角筒部材２１を裏貼り部５に取り付けた状態で、角筒部材２１は天板３の後端部よりも前方に引っ込んだ位置に取り付けられている。
【００２７】
また、天板３及びバックガード４の背面には断面階段形状のフレーム２２が取り付けられている。このフレーム２２は角筒部材２１の領域では角筒部材２１の側面と天板３の下面に沿った断面略Ｌ字状の下部背面部２３とその上部に形成された平板状の上部背面部２４とを備えている。また、上部背面部２４では天板３より若干高い位置で突出部２５が形成され、突出部２５の上面にバックガード４が載置されている。突出部２５はバックガード４の厚みの半分程度の長さに形成されている。
【００２８】
そして、下部背面部２３では角筒部材２１に当接する面がねじ２７によって角筒部材２１に固定されている。また、天板３と突出部２５及びバックガード４との間に間隙２８が形成され、この間隙２８内にシール材１２が充填されることで間隙２８を液密に封止している。この間隙２８は上述の実施形態と相違して突出部２５の前方だけでなく突出部２５と天板３との間にも形成されている。更に、天板３の後端面と上部背面部２４の下部との間にも副間隙２９が形成されている。
そのため、本変形例では、シール材１２は、天板３と突出部２５及びバックガード４との間の間隙２８だけでなく、天板３と上部背面部２４の下端部との小幅の副間隙２９にも充填されている。また、バックガード４はフレーム２２の上部背面部２４と両面テープ１０ａによって固着されている。
【００２９】
従って、本変形例による流し台１Ｂによれば、フレーム２２の下部背面部２３が裏貼り部５に設けた角筒部材２１にねじ２７によって固定されているためフレーム２２の保持強度が高い。しかも、バックガード４は直接天板３に固定されず、フレーム２２を介して角筒部材２１に固定したため、天板３の変形などの影響を受けることなく固着できる。
また、角筒部材２１を天板３の後端面と面一に設定して且つフレーム２２を平板状に形成した場合には、ねじ固定するとねじ２７の頭部が突出するため加工が必要になるが、本変形例では前側に引っ込めた角筒部材２１にフレーム２２の断面略Ｌ字形状の下部背面部２３でねじ２７で固定したので、ねじ２７の頭部を加工しなくても上部背面部２４から突出しない。
しかも、天板３と突出部２５及びバックガード４の下面との間隙２８と、天板３と上部背面部２４との副間隙２９にシール材１２を充填したので、一層水密効果が高くて水漏れを確実に防止できる。
【００３０】
なお、上述した各実施形態や変形例に示す流し台１，１Ａ，１Ｂの天板構造１４において、バックガード４の上端部とフレーム７、１６、２２の上端部との間をシール材１２で封止してもよい。また、同様にバックガード４の上端部と図示しない壁面との間をシール材１２で封止してもよい。これらの構成によって上部からキャビネット２や壁面への水漏れを防止できる。
また、本発明は流し台１の天板構造１４に限定されるものではなく、各種のカウンターや調理台等にも採用できる。
【符号の説明】
【００３１】
１、１Ａ、１Ｂ  流し台
３  天板
４  バックガード
５  裏貼り部
７、１６、２２  フレーム
９、１７、２５  突出部
１１、２８  間隙
１２  シール材
【図１】
0006431350.tif 000002
【図２】
0006431350.tif 000003
【図３】
0006431350.tif 000004
【図４】
0006431350.tif 000005
【図５】
0006431350.tif 000006
【図６】
0006431350.tif 000007
【図７】
0006431350.tif 000008
【図８】
0006431350.tif 000009
【図９】
0006431350.tif 000010